【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
ガスシステムの圧力を調整するガス圧力調整器において、
第１のチャンバと、
前記第１のチャンバを第１の区画及び第２の区画に仕切る第１の隔膜と、
第２のチャンバと、
前記第２のチャンバを第３の区画及び前記第１の区画に接続され通じている第４の区画に仕切る第２の隔膜と、を有し、
前記第１の隔膜の移動が、前記第４の区画の第１の容量及び前記第３の区画の第２の容量を変更する前記第２の隔膜の対応する移動を引き起こし、
垂直に延びるアダプタは前記第１のチャンバの第１の区画と第２のチャンバの第４の区画を接続し、前記アダプタは、
垂直部の下側ネジ及び上側ネジ、
垂直部の上側ネジに少なくとも一つの開口部であって、前記第１の区画と前記第４の区画がそれを通して通じる開口部、そして、
水平方向に延びる外縁、を備え、
ここにおいて、垂直部分の下側ネジの外径は前記第１の区画の垂直に延びる部分の内径に一致し、垂直部分の上側ネジの外径は前記第２のチャンバの内径と一致し、そして、前記少なくとも一つの開口部の開口領域は前記第１の区画と前記第４の区画の間の最も小さな開口部の開口領域より大きいガス圧力調整器。
【請求項２】
さらに、前記第１の区画に位置し、前記第１の区画から周囲の大気へ空気を排出するか、周囲の大気から前記第１の区画に空気を導く通気バルブを有し、
前記第１の区画の気圧が予め設定したしきい値に達する場合、前記通気バルブは、最大の通気割合で前記第１の区画から空気を排出するか導入する請求項１に記載のガス圧力調整器。
【請求項３】
少なくとも１つの前記開口部は、最大の通風バルブが排気する割合より大きな割合で第１の区画と第４の区画の間の空気を交換する請求項１に記載のガス圧力調整器。
【請求項４】
少なくとも１つの開口部の開口領域は、０.２５〜０.６平方インチである、請求項１に記載のガス圧力調整器。
【請求項５】
少なくとも１つのバネは、前記第２の隔膜の上面及び前記第２のチャンバの上面に接続し、
少なくとも１つのバネは、前記第２の隔膜の下面及び前記第２のチャンバの下面に接続する請求項１に記載のガス圧力調整器。
【請求項６】
前記第２の隔膜の内径は、前記第１の区画の上面及び前記アダプタの外縁の間で堅固に挟持され、
前記第２の隔膜の外径は、前記第２のチャンバの上面と前記第２のチャンバの底表面の間の少なくとも１つの締結具によって堅固に挟持される請求項１に記載のガス圧力調整器。
【請求項７】
前記第２の隔膜の内径と外径の間の前記第２の隔膜の表面に沿って測定された距離は、前記第２のチャンバの外径と前記第１の区画のバネ・タワーの外径の間の距離より大である請求項１に記載のガス圧力調整器。
【請求項８】
前記第２の区画の内径と一致するネジ部分と、密閉する要素を下へ押す、水平に伸びる外縁を備える安全キャップであって、前記安全キャップは大気に対し前記第２のチャンバを密閉し、前記安全キャップは２５psiの圧力に耐える、請求項１に記載のガス圧力調整器。
【請求項９】
前記第２のチャンバは、第１の径の内部セクション、第２の水平セクション及び第３の径の外部セクションを有する上部のシェルと、
下側環状水平板を具備し、
前記第１の径の内部セクションは前記アダプタの垂直部分の前記上側ネジに接続され、下側環状水平板の内径は、前記第１の区画のバネ・タワーの外径より大きい請求項７に記載のガス圧力調整器。
【請求項１０】
前記下側環状水平板は、大気と連通する空気孔を備える請求項９に記載のガス圧力調整器。
【請求項１１】
前記空気孔は、最低でも０.２５平方インチの累積した開口領域を有する請求項１０に記載のガス圧力調整器。
【請求項１２】
前記空気孔は丸い開口部であり、前記下側環状水平板に均等に分配される請求項１１に記載のガス圧力調整器。
【請求項１３】
前記第２の隔膜の移動は、前記第４の区画の第１の容量を増加させて、前記第３の区画の第２の容量を減少させる請求項１に記載のガス圧力調整器。
【請求項１４】
前記第２の隔膜の移動は、前記第４の区画の第１の容量を減少させて、前記第３の区画の第２の容量を増加させる請求項１に記載のガス圧力調整器。
【請求項１５】
ガスシステムの圧力を調整するガス圧力調整器において、
第１のチャンバと、
前記第１のチャンバを第１の区画及び第２の区画に仕切る第１の隔膜と、
第２のチャンバと、
前記第２のチャンバを第３の区画及び前記第１の区画に接続され通じている第４の区画に仕切る第２の隔膜と、を有し、
前記第１の隔膜の移動が、前記第４の区画の第１の容量及び前記第３の区画の第２の容量を変更する前記第２の隔膜の対応する移動を引き起こし、
少なくとも１つのバネは、前記第２の隔膜の上面及び前記第２のチャンバの上面に接続し、
少なくとも１つのバネは、前記第２の隔膜の下面及び前記第２のチャンバの下面に接続し、そして、
前記第２のチャンバの下側通気水平板は、前記第２の隔膜の変位を制限するガス圧力調整器。
【請求項１６】
前記第２の隔膜の移動速度は、少なくとも前記第２の隔膜の剛性によって、及び少なくとも１つのバネの剛性によって、及び、下側水平通気板の孔を通じた大気の交換割合により、調整される請求項１５に記載のガス圧力調整器。
【請求項１７】
ガス圧力調整器によるガスシステムの圧力調整方法において、
第１のチャンバ、第１の隔膜、通気バルブ及び気圧調整されたシステムの安全キャップを有し、前記第１の隔膜は第１のチャンバを第１の区画及び第２の区画に仕切り、前記通気バルブは前記第１の区画に配置され、前記安全キャップは前記第１の区画を密閉するように調整器を取付け、
気圧調節されたシステムが作動している間、安全キャップを取り外し、
第３の区画及び第４の区画に仕切る第２の隔膜を含む第２のチャンバを、前記第４の区画と前記第１の区画が接続し、連通するように、アダプタを介して前記第１のチャンバに接続し、
前記第２のチャンバの上の前記安全キャップを交換し、
気圧調節されたシステムを操作し、ここにおいて、前記気圧調節されたシステムの操作中に、前記第１の隔膜の移動は、第４の区画の容量を変更する前記第２の隔膜の対応する移動を引き起こすガスシステムの圧力調整方法。
【請求項１８】
ガスシステムの圧力を調整するガス圧力調整器において、
第１のチャンバと、
前記第１のチャンバを第１の区画及び第２の区画に仕切る第１の隔膜と、
第２のチャンバと、
前記第２のチャンバを第３の区画及び前記第１の区画に接続され通じている第４の区画に仕切る第２の隔膜と、を有し、
前記第１の隔膜の移動が、前記第４の区画の第１の容量及び前記第３の区画の第２の容量を変更する前記第２の隔膜の対応する移動を引き起こし、そして、
アダプタが前記第１のチャンバの第１の区画と第２のチャンバの第４の区画を接続し、前記アダプタは水平方向に延びる外縁を備え、前記第２の隔膜の内径は、前記第１の区画の上面及び前記アダプタの外縁の間で堅固に挟持されるガス圧力調整器。
【手続補正２】
【補正対象書類名】明細書
【補正対象項目名】０００２
【補正方法】変更
【補正の内容】
【０００２】
本発明はガス圧力供給の制御のために、機械的な自動のばね上げしてある商用調整器に関する。圧力調整器は、一連のフロー要求に関するガス圧力供給を調節するために圧力レベルを下げてかつ/または維持するものである。
【手続補正３】
【補正対象書類名】明細書
【補正対象項目名】００１７
【補正方法】変更
【補正の内容】
【００１７】
第２のチャンバの例示的実施形態は、単独の圧力調整器の応答性の自由度と比較して、システムの応答性の自由度を増加させ、システムが瞬間の圧力変化に、より速く反応することを可能にする。
ここに記述された典型的な第２のチャンバの１つの利点は、システム応答を改善し、安定作業条件を維持する能力で、かつ、通気ラインを大型化せず、及び、関連コストの招来をせず、調整器の調整及び通気の構成を要求しない。
【手続補正４】
【補正対象書類名】明細書
【補正対象項目名】００２１
【補正方法】変更
【補正の内容】
【００２１】
圧力調整器は安定した抑制された圧力でガスを供給するために使用されてもよく、それによって、一連のフロー要求に関するガス圧力供給を制御する。例えば、圧力調整器は、多くの居住用利用、商用利用及び産業利用のための、バーナ、ヒータ及びプロセス用機器からの燃料ガスの変化する要求フローを満たすである。
【手続補正５】
【補正対象書類名】明細書
【補正対象項目名】００２９
【補正方法】変更
【補正の内容】
【００２９】
図２の例示的実施形態では、バネ２５０を収容し、垂直に伸びるバネ・タワー２１０は、前記第１の区画２２０を通って伸び、不正開封防止機構２０２で効果を増大させた安全キャップ２００によって閉塞される。
例示的実施形態では、フローは圧力調整器の前記第２の区画に、ガス入口１１及びバルブ、オリフィス２９５を通じて入る。
安全孔及び通気孔機構２６０は、隔膜２４０が上がる場合、前記第１の区画からの空気が排出配管システムへ放出されることを可能にする前記第１の区画に設けられる。
【手続補正６】
【補正対象書類名】明細書
【補正対象項目名】００３０
【補正方法】変更
【補正の内容】
【００３０】
動作中に、動いている隔膜２４０が下流の流量特性に反応するとともに、前記調整器の第１の区画２２０の空気は押されるか引かれる。
例示的実施形態では、第１の区画２２０の中にある空気の容量は、通気孔機構２６０及び結合ガス解除配管によって周囲の空気とゆっくり交換する。
気流が前記安全開放流路を通じて出入りを強制されると、空気がバネ負荷により安定フラッパ及び長いパイプラインのような抵抗を生成する装置に逆らうように機能してもよい。
通気孔及び開放システムに起因する抵抗は、前記第１の区画の空気の出入りできる割合を制限し、前記第１の区画の圧力の変化率を有効に制限し、圧力変化に対する前記調整器の応答を制限するようにしてもよい。
例示的実施形態で、ガス・フロー要求が出口２１で急速に増加する時、圧力低下が区画２３０に生じて、その結果、バネ２５０が隔膜２４０を下方へ押圧する。
例示的実施形態中で、通気メカニズム２６０によって開放される空気が制限される場合、第１の区画２２０が真空に引かれる。
この真空は、隔膜２４０の応答性運動を遅くし、バルブ及びオリフィス２９５を開く接続リンケージの移動をさらに遅くする。
したがって、前記システムからの抵抗は、増加した出口フローの需要を望まれるように急速に満たす能力を害するかもしれない。
【手続補正７】
【補正対象書類名】明細書
【補正対象項目名】００３２
【補正方法】変更
【補正の内容】
【００３２】
あるいは、さらに、前記第１の区画の中への大気のより速い通気のために許可する通気ラインに関連した通風フラッパ及びバネの湿潤・調整特性を変更することは可能である。  システムへのこれらの変更は、高価な付加的な配管あるいは既存の設置の再配管を要求するかもしれないし、あるいは最適の調整のための多数の反復を要求し、調整器工場で遂行される必要があるかもしれないし、フロー及び／またはロックアップ圧力の増加を操作する項目で不安定を回避する必要があるかもしれない。
【手続補正８】
【補正対象書類名】明細書
【補正対象項目名】００３９
【補正方法】変更
【補正の内容】
【００３９】
この例示的実施形態では、前記第２のチャンバの存在は、前記第４の区画の空気と前記第１の区画の空気とが通流する割合を、空気が前記ベント通風孔システムによって第１の区画に出入りする割合よりも少なくとも等しいかより高くすることを可能にする。
例示的実施形態中では、前記第１の区画の第１質量流量変化割合を、前記第１の隔膜の移動によって引き起こされた前記第４の区画の第２質量流量変化割合と同等にしてもよい。
例示的実施形態では、前記第１の区画の第１質量流量変化割合は、前記第１の隔膜の移動によって引き起こされた前記第４の区画の第２質量流量変化割合と同じオーダーであってもよい。
【手続補正９】
【補正対象書類名】明細書
【補正対象項目名】００４３
【補正方法】変更
【補正の内容】
【００４３】
例示的実施形態では、前記アダプタは、バネ・タワー２１０及びケーシング３０５を接続するほぼ円筒状の１片であってもよい。
例示的実施形態では、アダプタ３１１の突出縁は、さらにその内径で適所へ膜３０３を挟持するようにしてもよい。
前記膜の外径は、通気プレート３０６とケーシング３０５との間で挟持され、ボルト３０４に助けられて両要素はシール３１２を提供する。
制限しない例において、第２の膜３０３は、６〜８インチ間の外径を持っていてもよい。
例示的実施形態では、前記アダプタは、前記第１の隔膜が動いた場合、前記第１の区画から第４の区画へ、あるいは逆に、空気の流れを許可する通気開口部３０１を含んでもよい。
【手続補正１０】
【補正対象書類名】明細書
【補正対象項目名】００４６
【補正方法】変更
【補正の内容】
【００４６】
図３の例示的実施形態では、前記第２のチャンバの第３の区画３３５は通気プレート３０６によって画定され、周囲空気に通気される。制限しない例において、この第３の区画３３５は、通気プレート３０６によって、汚れ、天候によってもたらされる湿気あるいは昆虫のように動いている生物のような汚染物質の進入から遮られ保護されるようにしてもよい。
例示的実施形態の中で、図３の中で示されるように、通気プレート３０６は開口部３１６を含むようにしてもよい。それは、空気が自由に第３の区画３３５に出入りすることを可能にする。
例示的実施形態では、通気孔はスクリーンまたはメッシュによって覆われていてもよい。例示的実施形態では、通気孔は、０.２５平方インチの最小の累積的なフロー・領域を持ち、好ましくは０.３８平方インチの累積的なフロー・領域を有してもよい。例示的実施形態では、通気孔は、開口部２２５の中心のフロー・領域と少なくとも等しい累積的なフロー・領域を持っていてもよい。代替実施形態では、通気孔は、通気プレート上に平等に分配されてもよい。
まだ別の代替実施形態では、通気孔は実質的に０.１インチの最大径と共に、循環的であってもよい。
例示的実施形態では、前記通気孔は、前記アダプタの空気の開口部を通しての通気割合と同じ流量で、大気への前記第２の膜の移動による通気可能とする最小の累積的なフロー・領域を有していてもよい。
例示的実施形態では、前記通気プレートと前記バネ・タワー２１０の外面の間に僅かなギャップ３０７があってもよい。
【手続補正１１】
【補正対象書類名】明細書
【補正対象項目名】００４９
【補正方法】変更
【補正の内容】
【００４９】
別の例示的実施形態では、膜３０３は、それ自体により、１つまたは両方のこれらの中立位置復帰バネ３０２の機能を提供するようにしてもよく、膜の固有の構造は、同心の回旋のようなその中立位置に膜を返す手段を含んでいてもよい。
例示的実施形態では、前記膜は適切な寸法により、強く柔軟である。
例示的実施形態では、膜は成型された同心の渦巻を備え、ファイバで強化され、最適の反応のために薄く柔軟であるが、気圧調節され、通気プレートに押しつけられた時、非常に強いエラストマの膜であってもよい。
例示的実施形態では、膜３０３は波隔膜でもよい。例示的実施形態では、前記第２の膜として、accuWAVE（商標）を使用してもよい。
例示的実施形態では、前記第２の膜は、ガス流量調節器適用のバースト強度要求を超過するようにしてもよい。
例示的実施形態では、前記第２の膜は、平均的な米国の家庭に設置中のガス量計に４０年間以上の寿命を有することがある。
【手続補正１２】
【補正対象書類名】明細書
【補正対象項目名】００５０
【補正方法】変更
【補正の内容】
【００５０】
例示的実施形態では、前記圧力調整器の操作中に、膜３０３は中立位置から自由に、速く押し引きされてもよい。
膜３０３の反応性は、その柔軟性、弱バネ３０２の存在、及び、大気側の区画と周囲の環境と容易に空気を交換可能にする通気プレート３０６によってもよい。
例示的実施形態の中で、上述したように、膜３０３は、一方のケーシング３０５の一方側でバックアップされ支持されることにより、また、通気プレート３０６あるいは他の側のスクリーン・ワイヤにより、破裂から保護され得る。
【手続補正１３】
【補正対象書類名】明細書
【補正対象項目名】００５１
【補正方法】変更
【補正の内容】
【００５１】
例示的実施形態では、前記圧力調整器の第１の区画の空気の容量は、ゆっくり通気孔システム２６０を介して出入りする代わりに、第２のチャンバの第４の区画に急速に出入りするようにしてもよい。
【手続補正１４】
【補正対象書類名】明細書
【補正対象項目名】００５２
【補正方法】変更
【補正の内容】
【００５２】
例示的実施形態では、前記第２のチャンバは、速い要求負荷変動が生じる場合、調整器が一時的な期間により一定の供給圧力を安全に提供することを可能にする。
例示的実施形態では、前記第２のチャンバは、下流の配管、バルブ及び／またはガス消費機器に生じる、任意の迅速なフロー及び圧力要求変更に対する調整器の可動部の迅速で直接の応答を可能にする。
前記第２のチャンバの例示的実施形態は、単に周囲空気に調整器の大気側を露出する代わりに、安全であるが改善された調整器応答を可能にする。
【手続補正１５】
【補正対象書類名】明細書
【補正対象項目名】００５３
【補正方法】変更
【補正の内容】
【００５３】
既存の圧力調整器では、調整器から内部ガスを緊急開放する場合には、バルブ破損あるいは第１の隔膜破裂のいずれかにより、ガスが周囲の環境へ漏れる可能性がある。例示的実施形態では、圧力調整器システムの中にあるガスは有毒又は有害である可能性がある。例示的実施形態では、緊急開放の際に、前記柔軟な膜３０３は、第４の区画及び第１の区画内のガスを封じ込める。
例示的実施形態では、前記柔軟な膜３０３は、漏れたガスを安全な分散位置へ要求された前記通気配管によって移動させることができる。
第１の隔膜２４０が破裂した場合に、前記第２のチャンバの例示的実施形態が、通気システム２６０にフローを向けることによって直接の流出を防ぐようにしてもよい。
【手続補正１６】
【補正対象書類名】明細書
【補正対象項目名】００５７
【補正方法】変更
【補正の内容】
【００５７】
例示的実施形態では、膜４０３は、軸方向及び放射状のいずれかの方向に移動することにより、調整器の第１の区画の気圧を大気圧に迅速に等しくすることを可能にする。
この例示的実施形態では、質量は膜境界を横断しない。
図５の中で示される例示的実施形態では、前記第１の区画２２０の空気は、バネ調節ボタン２５５中のセンタ穴２２５を通って、第４の区画４４５の空気と直接連通する。
【手続補正１７】
【補正対象書類名】明細書
【補正対象項目名】００６１
【補正方法】変更
【補正の内容】
【００６１】
本発明の範囲から逸れることなしに、多くの可能な実施形態が形成されてもよく、ここで明らかにされるか示される実例として解釈される添付図面に限定される意味ではないことが理解される。
以下に、本願出願の当初の特許請求の範囲に記載された発明を付記する。
［１］  ガスシステムの圧力を調整するガス圧力調整器において、
第１のチャンバと、
この第１のチャンバを第１の区画及び第２の区画に仕切る第１の隔膜と、
第２のチャンバと、
この第２のチャンバを第３の区画及び前記第１の区画に接続され通じている第４の区画に仕切る第２の隔膜とを有し、
前記第１の隔膜の移動が、前記第４の区画の第１の容量及び前記第３の区画の第２の容量を変更する前記第２の隔膜の対応する移動を引き起こすガス圧力調整器。
［２］  さらに、前記第１の区画に位置し、周囲の大気へ空気を排出するか、周囲の大気から前記第１の区画に空気を導く通気バルブを有し、
前記第１の区画の気圧が予め設定したしきい値に達する場合、前記通気バルブは、最大の通気割合で前記第１の区画から空気を排出するか導入する［１］に記載のガス圧力調整器。
［３］  前記第２のチャンバの前記第４の区画に前記第１のチャンバの前記第１の区画に接続し、第１の外径を有し、下側ネジが形成された垂直部、水平方向に伸びる外縁、第２の外径を有し、上側ネジが形成された垂直部、前記上側ネジが形成された垂直部の少なくとも１つの穴を含み、前記第１の外径は、前記第１の区画の垂直に伸びる部分の内径と同等であるアダプタを備え、
前記第２の隔膜の外径は、前記第２のチャンバの内径と同等であり、少なくとも１つの開口部の開口領域は、前記第１の区画と前記第４の区画の間の最も小さな開口部の開口領域より大きい［２］に記載のガス圧力調整器。
［４］  少なくとも１つの前記開口部は、最大の通風バルブが排気する割合より大きな割合で第１の区画と第４の区画の間の空気を交換する［３］に記載のガス圧力調整器。
［５］  少なくとも１つの開口部の開口領域は、０.２５〜０.６平方インチ(好ましくは０.３８平方インチである開口領域)である［３］に記載のガス圧力調整器。
［６］  少なくとも１つのバネは、前記第２の隔膜の上面及び前記第２のチャンバの上面へ接続し、
少なくとも１つのバネは、前記第２の隔膜の下面及び前記第２のチャンバの下面へ接続する［１］に記載のガス圧力調整器。
［７］  前記第２の隔膜の内径は、前記第１の区画の上面及び前記アダプタ縁の間で堅固に挟持され、
前記第２の隔膜の外径は、前記第２のチャンバの上面と前記第２のチャンバの底表面の間の少なくとも１本の締結具によって堅固に挟持される［３］に記載のガス圧力調整器。
［８］  前記第２の隔膜の内径と外径の間の前記第２の隔膜の表面に沿って測定された距離は、前記第２のチャンバの外径と前記第１の区画の前記バネ・タワーの外径の間の距離より大である［１］に記載のガス圧力調整器。
［９］  前記第２のチャンバの下側通気水平板は、前記第２の隔膜の変位を制限する［６］に記載のガス圧力調整器。
［１０］  前記第２の隔膜の移動速度は、少なくとも前記第２の隔膜の、及び少なくとも１つのバネの剛性、及び、下側水平通気板の穴による大気との交換割合によって規制される［９］に記載のガス圧力調整器。
［１１］  前記第２の区画の内径と一致し、ネジが通された放射状の部分を備え、及び密閉する要素を下へ押す、水平に伸びる外縁、大気に対し、前記第２のチャンバを密閉する２５psi以内の圧力に耐える安全キャップをさらに備える［１］に記載のガス圧力調整器。
［１２］  前記第２のチャンバは、第１の放射状の内部セクション、第2の水平セクション及び第３の放射状の外部セクションを有する上部のシェルと、
下側環状水平板を具備し、
前記第１の放射状の内部セクションは前記アダプタの前記上側ネジ垂直部に接続され、下側環状水平板の内径は、前記第１の区画のバネタワーの外径より大きく形成されている［３］に記載のガス圧力調整器。
［１３］  前記下側環状水平板は、大気と連通する空気孔を含んでいる［１２］に記載のガス圧力調整器。
［１４］  前記空気孔は、最低でも０.２５平方インチの累積的な開口領域及び好ましくは０.３８平方インチの累積的な開口領域を有する［１３］に記載のシステム。
［１５］  前記空気孔は循環的な開口部であり、前記下側環状水平板上に平等に分配される［１４］に記載のシステム。
［１６］  前記第２の隔膜の移動は前記第４の区画の第１の容量を増加させて、前記第３の区画の第２の容量を減少させる［１］に記載のガス圧力調整器。
［１７］  前記第２の隔膜の移動は前記第４の区画の第１の容量を減少させて、前記第３の区画の第２の容量を増加させる［１］に記載のガス圧力調整器。
［１８］  ガス圧力調整器によるガスシステムの圧力調整方法において、
第１のチャンバ、第１の隔膜、通気バルブ及び気圧調整されたシステムの上の安全キャップを有し、前記第１の隔膜は第１のチャンバを第１の区画及び第2の区画に仕切り、前記通気バルブは前記第１の区画に配置され、前記安全キャップは前記第１の区画を密閉するように調整器を取付け、
気圧調節されたシステムが作動している間、安全キャップを取り外し、
アダプタを介し、前記第１のチャンバへ第３の区画及び第４の区画に仕切る第２の隔膜を含む第2のチャンバを、前記第４の区画と前記第１の区画が連通するように接続し、
前記第２のチャンバの上の前記安全キャップを交換し、
気圧調節されたシステムを操作し、
前記気圧調節されたシステムの操作中に、前記第１の隔膜の移動は、第４の区画の容量を変更する前記第２の隔膜の対応する移動を引き起こすガスシステムの圧力調整方法。
［１９］  ガス圧力調整器によるガスシステムの圧力調整方法において、
第１のチャンバ及び前記第１のチャンバを第１の区画及び第２の区画に仕切る第１の隔膜を有する調整器を配置し、
第１のチャンバへ第３の区画及び前記第１の区画に連通する第４の区画に仕切る第2の隔膜を含む第2のチャンバを接続し、
また気圧調節されたシステムを操作し、
前記気圧調節されたシステムの操作中に、前記第１の隔膜の移動は、多くの前記第４の区画の容量を変更する前記第２の隔膜の対応する移動を引き起こすガスシステムの圧力調整方法。